(57)【特許請求の範囲】
【請求項１】
基板に実装される各部品の基板実装作業に関するエラーデータであって、部品名とエラー内容とが１対１に対応したエラーデータを取得するエラーデータ取得手段と、
該エラーデータ取得手段によって取得されたエラーデータを記憶するエラーデータ記憶手段と、
前記エラーデータを所定の分類毎に集計したエラー量を算出するエラー量算出手段と、
前記分類毎に重要度係数を設定する重要度係数設定手段と、
該重要度係数設定手段によって設定された重要度係数と、前記エラー量算出手段により算出されたエラー量を演算して、前記分類毎のエラー指標を算出するエラー指標算出手段と、
前記分類毎に集計されたエラーの情報である集計エラー情報を、前記エラー指標算出手段によって算出された前記エラー指標の高いものから順にソートして一覧表示する集計エラー情報表示手段と、
を備えたことを特徴とする部品エラー表示装置。
【請求項２】
請求項１において、シールド部品に関連するリペアが困難な部品の重要度係数は、リペアが容易な部品の重要度係数より大きく設定され、または、ＬＥＤ部品と該ＬＥＤ部品に関連する抵抗部品の重要度係数は、前記ＬＥＤ部品と該ＬＥＤ部品に関連する前記抵抗部品以外の部品の重要度係数より大きく設定されるようにした部品エラー表示装置。
【請求項３】
請求項１または請求項２において、前記エラー量算出手段は、前記各部品のエラー率を算出するものである部品エラー表示装置。
【請求項４】
請求項１または請求項２において、前記エラー量算出手段は、前記各部品のエラー個数を算出するものである部品エラー表示装置。
【発明の詳細な説明】
【技術分野】
【０００１】
本発明は、部品実装時のエラーを表示する部品エラー表示装置に関するものである。
【背景技術】
【０００２】
電子部品を回路基板に実装する部品実装機においては、電子部品を吸着ノズルにより吸着して回路基板上に搬送し、所定位置に実装するようになっているが、吸着ノズルで吸着した電子部品が搬送途中で落下したり、あるいは電子部品を回路基板上の定められた位置に精度よく実装できなかったりする等のエラーが発生する。このために、この種の部品実装機においては、エラーの発生を検知し、各電子部品毎にエラー率を算出して、エラー率の高い電子部品については、吸着ノズルで電子部品を搬送する際の速度を低下させる等の必要な処置を講ずるようにしている。
【０００３】
しかしながら、通常の電子部品については、エラーが発生しても、後でリペアできるものはそれほど問題にはならないが、例えば、図４に示すように、シールド部品Ｊの下に実装される部品Ａ〜Ｉや、シールド部品Ｊに隣接する位置に実装される部品Ｋ、Ｌについては、シールド部品Ｊが実装された後ではリペアが難しくなり、回路基板を不良品として廃却せざる得ないことになる。
【０００４】
従来、発生したエラーに関するエラーデータをエラーウィンドウに表示するものとして、特許文献１に記載されたものが知られている。特許文献１に記載のものは、アプリケーションプログラム実行中のエラーの発生を監視し、発生したエラーに関するエラーデータを生成して、生成したエラーデータをエラーデータ記憶部に記憶し、記憶されているエラーデータのうち、優先度が所定のしきい値以上のエラーデータを選択して、優先度順に並び変えて表示するようにしたものである。
【先行技術文献】
【特許文献】
【０００５】
【特許文献１】特開２００３−１８６７０４号公報
【発明の概要】
【発明が解決しようとする課題】
【０００６】
しかしながら、特許文献１に記載のものは、単に優先度の高い低いに従ってエラーデータを並び変えて表示するだけであり、その重要度の大小に応じて優先度を段階的に設定できるようにはなっておらず、また、優先度が低いものにおいては、エラーの発生率がいくら高い部品であっても、優先順位が下位にならざるを得ず、当該部品に対するケアが遅れるという問題がある。
【０００７】
従って、ケアの優先度を決定する要素としては、単に重要度が高いとか、不良率が高いとかで決定するだけでは十分ではなく、各種部品が実装される回路基板の特性を加味してケアを行うことが、品質のよい安定した回路基板を生産するうえで必要となる。
【０００８】
本発明は、上述した従来の課題を解決するためになされたもので、実装すべき部品に応じて重要度を段階的に重み付けできるようにし、重要度およびエラー量（エラー率）に応じたエラー指標を算出して、エラー指標の高いものから順にソートしてエラー情報を表示できるようにした部品エラー表示装置を提供することを目的とするものである。
【課題を解決するための手段】
【０００９】
上記の課題を解決するため、請求項１に係る発明の特徴は、基板に実装される各部品の基板実装作業に関するエラーデータであって、部品名とエラー内容とが１対１に対応したエラーデータを取得するエラーデータ取得手段と、該エラーデータ取得手段によって取得されたエラーデータを記憶するエラーデータ記憶手段と、前記エラーデータを所定の分類毎に集計したエラー量を算出するエラー量算出手段と、前記分類毎に重要度係数を設定する重要度係数設定手段と、該重要度係数設定手段によって設定された重要度係数と前記エラー量算出手段により算出されたエラー量を演算して前記分類毎のエラー指標を算出するエラー指標算出手段と、前記分類毎に集計されたエラーの情報である集計エラー情報を、前記エラー指標算出手段によって算出された前記エラー指標の高いものから順にソートして一覧表示する集計エラー情報表示手段とを備えたことである。
【００１０】
請求項２に係る発明の特徴は、請求項１において、シールド部品に関連するリペアが困難な部品の重要度係数は、リペアが容易な部品の重要度係数より大きく設定され、または、ＬＥＤ部品と該ＬＥＤ部品に関連する抵抗部品の重要度係数は、前記ＬＥＤ部品と該ＬＥＤ部品に関連する前記抵抗部品以外の部品の重要度係数より大きく設定されるようにしたことである。
【００１１】
請求項３に係る発明の特徴は、請求項１または請求項２において、前記エラー量算出手段は、前記各部品のエラー率を算出するものであることである。
【００１２】
請求項４に係る発明の特徴は、請求項１または請求項２において、前記エラー量算出手段は、前記各部品のエラー個数を算出するものであることである。
【発明の効果】
【００１３】
請求項１に係る発明によれば、基板に実装される各部品の基板実装作業に関するエラーデータであって、部品名とエラー内容とが１対１に対応したエラーデータを取得するエラーデータ取得手段と、エラーデータ取得手段によって取得されたエラーデータを記憶するエラーデータ記憶手段と、エラーデータを所定の分類毎に集計したエラー量を算出するエラー量算出手段と、分類毎に重要度係数を設定する重要度係数設定手段と、重要度係数設定手段によって設定された重要度係数とエラー量算出手段により算出されたエラー量を演算して分類毎のエラー指標を算出するエラー指標算出手段と、分類毎に集計されたエラーの情報である集計エラー情報を、エラー指標算出手段によって算出されたエラー指標の高いものから順にソートして一覧表示する集計エラー情報表示手段とを備えている。
【００１４】
この構成により、エラーデータを所定の分類毎に集計したエラー量と、分類毎に設定した重要度係数とに基づいて算出されるエラー指標の高い順に表示できるので、重要度係数の設定の如何によっては、重要度係数が高いものばかりでなく、エラー量の高いものも上位に表示することができるようになる。これによって、各部品に必要な処理を遅滞なく行うことが可能となり、品質のよい回路基板を安定して製造することができる。
【００１５】
請求項２に係る発明によれば、シールド部品に関連するリペアが困難な部品の重要度係数は、リペアが容易な部品の重要度係数より大きく設定され、または、ＬＥＤ部品と該ＬＥＤ部品に関連する抵抗部品の重要度係数は、ＬＥＤ部品と該ＬＥＤ部品に関連する抵抗部品以外の部品の重要度係数より大きく設定されるようにしたので、シールド部品の下に実装される部品およびシールド部品に隣接した位置に実装される部品や、組合せ部品としてのＬＥＤ部品および抵抗部品についてのケアを優先的に行うことができる。
【００１６】
請求項３に係る発明によれば、エラー量算出手段は、各部品のエラー率を算出するものであるので、エラー情報を、各部品に設定された重要度係数とエラー率とに基づいて算出されるエラー指標の高い順に表示することができる。
【００１７】
請求項４に係る発明によれば、エラー量算出手段は、各部品のエラー数を算出するものであるので、エラー情報を、各部品に設定された重要度係数とエラー数とに基づいて算出されるエラー指標の高い順に表示することができる。
【図面の簡単な説明】
【００１８】
【図１】本発明の実施の形態を示す部品実装機の平面図である。
【図２】部品実装機を制御する制御装置を示す図である。
【図３】部品のエラー情報の一例を示す図である。
【図４】回路基板に電子部品が実装された一例を示す図である。
【図５】回路基板に電子部品が実装された変形例を示す図である。
【図６】重要度係数の入力状態を示す図である。
【図７】エラー情報の一覧を表示するフローチャートを示す図である。
【図８】エラーデータのエラー内容を表わす図である。
【図９】エラー指標に基づいてソートされたエラー情報の一覧を示す図である。
【図１０】本発明の別の実施例を示すフローチャートである。
【図１１】部品群に応じた重要度係数を示す図である。
【発明を実施するための形態】
【００１９】
以下本発明の実施の形態を図面に基づいて説明する。図１は、部品実装機１０の全体平面図を示すもので、部品実装機１０は、トレイ型部品供給装置１１と、フィーダ型部品供給装置１２と、部品装着装置１３と、基板保持装置１４と、基板搬送装置１５を備えている。
【００２０】
基板搬送装置１５は、基台２１上に設けられ、回路基板２０を搬送するベルトコンベヤ２２を備え、回路基板２０をベルトコンベア２２に沿って搬送して基板保持装置１４上に搬入するとともに、基板保持装置１４より搬出するものである。図１においては、基板搬送方向をＸ軸方向とし、基板搬送方向に直交する方向をＹ軸方向としている。基板保持装置１４は、図示を省略するが、回路基板２０を下方から支持する基板支持装置と、回路基板２０をクランプするクランプ装置とを含んでいる。
【００２１】
部品装着装置１１は、部品実装機１０の基台２１の上方位置にＸ軸方向に移動可能に支持されたＸ軸スライド２３と、Ｘ軸スライド２３上にＹ軸方向に移動可能に支持されたＹ軸スライド２４と、Ｙ軸スライド２４上に設けられた装着ヘッド２５とを備えている。装着ヘッド２５には、図示してないが、電子部品を吸着保持する吸着ノズルが設けられている。Ｘ軸スライド２３およびＹ軸スライド２４は、エンコーダ付サーボモータを駆動源とするＸ軸方向移動装置およびＹ軸方向移動装置によってそれぞれ移動され、装着ヘッド２５をＸＹ平面内の任意の位置へ移動できるようにしている。
【００２２】
Ｙ軸スライド２４上には、ＣＣＤカメラからなる基板撮像装置２６が設けられており、基板撮像装置２６は、部品装着装置１１の所定位置に位置決めされた回路基板２０上に設けられた図略の基板位置基準マークおよび基板ＩＤマークを撮像し、基板位置基準情報および基板ＩＤ情報を取得するようになっている。そして、基板撮像装置２６によって取得された基板位置基準情報に基づいて、装着ヘッド２５を回路基板２０に対してＸＹ方向に位置補正するとともに、基板ＩＤ情報に基づいて、電子部品の実装作業を制御するようになっている。
【００２３】
また、基台２１上には、ＣＣＤカメラからなる部品撮像装置２７（図２参照）が設けられている。部品撮像装置２７は、装着ヘッド２５の吸着ノズルに吸着した電子部品を、部品供給装置１１、１２から回路基板２０上に移動する途中で撮像して、吸着ノズルに吸着された電子部品の吸着状態や、吸着ノズルの中心に対する電子部品の芯ずれ等を検出し、芯ずれ等に基づいて装着ヘッド２５のＸＹ方向等の移動量を補正し、電子部品が回路基板Ｓ上の定められた座標位置に正確に装着できるようにしている。
【００２４】
トレイ型部品供給装置１１とフィーダ型部品供給装置１２は、Ｙ軸方向に互いに隔たって、基板搬送装置１５の両側に設けられている。トレイ型部品供給装置１１は、電子部品を複数のトレイ３１に収容して供給するものであり、供給装置本体としての台車３２を備え、台車３２は部品実装機１０に対して連結可能かつ切り離し可能となっている。
【００２５】
一方、フィーダ型部品供給装置１２は、電子部品を複数のフィーダ３３に収容して供給するものであり、フィーダ支持テーブルとしての台車３４を備え、台車３４は部品実装機１０に対して連結可能かつ切り離し可能となっている。フィーダ支持テーブル（台車）３４には、複数のフィーダ３３がＸ軸方向に並設した位置に着脱可能に装着されるようになっている。各フィーダ３３には、リールが着脱可能に取付けられ、リールに多数の電子部品を間隔を有して一列に収容したテープが巻回されている。
【００２６】
図２は、部品実装機１０を制御する制御装置４０を示し、制御装置４０は、ＣＰＵ４１と、ＲＯＭ４２およびＲＡＭ４３からなる記憶装置と、それらを接続するバス４４を備えている。バス４４には、入出力インタフェース４５が接続され、入出力インタフェース４５に、入力装置４６と出力装置４７が接続されている。入力装置４６は、キーボード、マウス等からなり、オペレータの操作によって必要な情報を入力する。入力された情報は制御装置４０の記憶装置（ＲＯＭ４２，ＲＡＭ４３）に記憶される。例えば、マウスの操作によって、各電子部品の重要度に応じた重要度係数が入力され、所定の記憶エリアに記憶される。また、出力装置４７は、ＬＣＤ等からなる表示手段４８と、オペレータに異常が発生したことを報知する報知装置等を備え、表示手段４８に後述するエラー情報の一覧が表示されるようになっている。
【００２７】
また、入出力インタフェース４５には、駆動回路４９、５０を介してフィーダ３３および装着ヘッド２５の各モータが接続されているとともに、部品撮像装置２７で撮像された画像を画像処理する画像処理装置５１等が接続されている。
【００２８】
制御装置４０のＲＯＭ４２には、部品実装機１０の実装作業を制御する実装制御プログラム等が格納されているとともに、電子部品の型番，寸法等、部品に関する部品データと、これら電子部品を回路基板２０のどの位置に実装するかの実装座標データが保存されている。また、制御装置４０のＲＡＭ４３には、図３に示すように、部品名（ＰＤ１〜ＰＤ６）毎の使用数Ｘ１、エラー数Ｘ２、エラー率Ｘ３、重要度係数Ｘ４およびエラー指標Ｘ５からなる部品エラー情報が記憶されている。
【００２９】
なお、本実施の形態におけるエラー率Ｘ３とは、各部品種について、エラー数Ｘ２を使用数Ｘ１で除したもの（Ｘ２／Ｘ１）であり、また、エラー指標Ｘ５とは、エラー率Ｘ３と重要度係数Ｘ４とを乗じたもの（Ｘ３＊Ｘ４）である。
【００３０】
図４は回路基板２０に電子部品が実装された状態の一例を示す図である。図４において、回路基板２０には、複数の電子部品Ａ〜Ｏが実装されている。部品Ａ〜Ｆは同じ種類の部品であり、部品Ｇ〜Ｉは同じ種類の部品である。これら部品Ａ〜Ｉ上には、部品Ａ〜Ｉを覆うようにシールド部品（ケース部品）Ｊが実装され、このシールド部品Ｊに隣接した位置に部品Ｋ、Ｌが実装され、また、その他の部品Ｍ、Ｎ、Ｏが互いに離散した位置に実装されている。
【００３１】
このような回路基板２０においては、部品Ｍ、Ｎ、Ｏについては、実装ミスがあっても、実装後いつでもリペア可能であるが、シールド部品Ｊの下の部品Ａ〜Ｉやシールド部品Ｊに隣接する部品Ｋ、Ｌについては、シールド部品Ｊが実装された後では、リペアが困難になる。
【００３２】
従って、品質のよい回路基板２０を安定して製造するためには、上記したシールド部品Ｊの下の部品Ａ〜Ｆ（以下、これを重要部品ＰＤ１（図３参照）という）、およびシールド部品Ｊの下の部品Ｇ〜Ｉ（以下、これを重要部品ＰＤ２（図３参照）という）や、シールド部品Ｊに隣接する部品Ｋ、Ｌ（以下、これを重要部品ＰＤ３（図３参照）という）を優先的にケアして、当該重要部品ＰＤ１、ＰＤ２、ＰＤ３の実装ミス等を少なくすることが重要となる。従って、シールド部品Ｊの下の重要部品ＰＤ１、ＰＤ２およびシールド部品Ｊに隣接する重要部品ＰＤ３については、図３に示す部品データの重要度係数の欄に、予め重要度に応じて定めた係数、例えば、「１０」、「２０」等の１より大きな整数を設定する。
【００３３】
具体的には、部品名（ＰＤ１，ＰＤ２、ＰＤ３）に応じて、例えば、図６に示すように、作業者によって重要度係数「１５」、「１０」、「５」がそれぞれに入力され、それ以外の部品名ＰＤ４（部品Ｊ）、ＰＤ５（部品Ｍ、Ｎ）およびＰＤ６（部品Ｏ）については、重要度係数として「１」が入力される。このように所定の分類（部品種）毎に、重要度係数が設定される。
【００３４】
また、図５は、回路基板２０に電子部品としてＬＥＤ部品Ｑが実装された別の例を示す図である。すなわち、ＬＥＤ部品Ｑ（Ｑ１、Ｑ２、Ｑ３・・・）については、明るさをそれぞれ抵抗部品Ｒ（Ｒ１、Ｒ２、Ｒ３・・・）で調整するために、抵抗部品との組合せで用いられる場合が多く、一方の部品（例えば、ＬＥＤ部品）に実装ミス等が生じて取替える場合には、他方の部品（例えば、抵抗部品）も取替えなければならなくなる。
【００３５】
従って、ＬＥＤ部品Ｑおよびこれに関連した抵抗部品Ｒも、品質のよい回路基板２０を安定して製造するうえでのキーポイントとなり、共に重要部品と位置付けられ、優先的にケアできるように他の部品とは区別して重要度係数が高く設定（例えば「２０」）に設定される。
【００３６】
次に、部品実装時のエラーを検知し、エラー情報の一覧を表示するフローチャートを図７に基づいて説明する。部品実装機１０の部品供給装置１１、１２に収容された電子部品は、装着ヘッド２５に設けた吸着ノズルにより順次吸着されて基板保持装置１４に位置決めクランプされた回路基板２０上に搬送され、回路基板２０の所定位置に実装される。回路基板２０に実装された電子部品は、部品撮像装置２７や図略の検査装置等によって吸着状態や実装状態を監視され、実装ミス等のエラーが発生した場合には、エラー信号が制御装置４０に送信されるとともに、作業者に報知される。
【００３７】
図７において、ある部品についてエラーが発生すると、ステップ１００において、エラーが検知され、ステップ１０２においてエラーデータが取得される。取得されたエラーデータは、例えば、図８に示すように、主として、エラーを発生した電子部品名と、発生した日時とエラーの内容からなる。
【００３８】
続くステップ１０４においては、エラーデータが制御装置４０の記憶装置（ＲＡＭ４３）に記憶される。ステップ１０６においては、エラーデータを所定の分類（ＰＤ１〜ＰＤ５）毎に集計して、エラー数Ｘ２を使用数Ｘ１で除したエラー率Ｘ３を算出し、ステップ１０８においては、各分類毎に定められた重要度係数Ｘ４が設定される。次いで、ステップ１１０において、エラー率Ｘ３に重要度係数Ｘ４が乗算されてエラー指標Ｘ５が分類毎に算出される。ステップ１１２においては、図９に示すように、分類毎に集計されたエラーの情報である集計エラー情報を、エラー指標Ｘ５の高い順番にソートした一覧表が作成され、当該一覧表が制御装置４０に接続された表示手段４７に表示される。
【００３９】
このようにエラー情報は、エラー指標Ｘ５の高い順番にソートされて表示されるので、所定の分類毎に設定された重要度係数Ｘ４が高い重要部品（ＰＤ１、ＰＤ２、ＰＤ３）については、エラー率Ｘ３が低くてもエラー情報一覧表の上位にランクされて表示され、作業者は、上位にランクされた重要部品について、優先的にエラーの再発を防止するに必要な処置を講ずる。ただし、重要度係数Ｘ４が低いその他の部品（ＰＤ４〜ＰＤ６）でも、エラー率Ｘ３が極端に高い場合には、重要部品よりも上位にランクされることもあり得、この場合には、重要度は高くないがエラー率Ｘ３の高い部品に対し、優先的にエラーの再発を防止するに必要な処置を講ずることになる。
【００４０】
かかる表示手段４８に表示されたエラー情報の一覧表（図９参照）に基づいて、作業者は、一覧表の上位に表示された部品について、優先的にそのエラー情報を基に必要な処置を実行する。例えば、最上位に表示された部品のエラーの内容を図８のエラーデータを参照してエラーの内容を把握し、エラーの内容が、吸着ノズルによって部品を的確に吸着できない吸着エラーに関するものである場合には、吸着速度を低めに設定し直したり、あるいは、吸着ノズルを別のものに交換する等して、吸着エラーを少なくするようにする。あるいはまた、部品を定められた精度内に実装できない実装位置不良に関するものである場合には、部品を実装する位置の許容値を小さめに設定し直したり、部品の形状をスペックよりも小さな値に設定し直して、実装精度を高めるようにする。
【００４１】
そして、最上位に表示された部品について、必要な処置が完了した後は、次いで上位に表示されている部品について、そのエラー情報を基にした必要な処置を引き続き実行する。
【００４２】
なお、上記したステップ１０２より、請求項におけるエラーデータ取得手段を構成し、以下同様に、ステップ１０４よりエラーデータ記憶手段を、ステップ１０６によりエラー量（エラー率）算出手段を、ステップ１０８により重要度係数設定手段を、ステップ１１０によりエラー指標算出手段を、ステップ１１４によりエラー情報表示手段をそれぞれ構成している。
【００４３】
図１０は、本発明の別の実施の形態を示すもので、上記したシールド部品Ｊの下の重要部品ＰＤ１（Ａ〜Ｆ）およびＰＤ２（Ｇ〜Ｉ）ならびにシールド部品Ｊに隣接する重要部品ＰＤ３（Ｋ、Ｌ）や、ＬＥＤ部品Ｑおよび抵抗部品Ｒ等の重要部品を、部品群として自動的に認識し、予め定められた重要度係数を設定できるようしたものである。
【００４４】
かかる実施の形態においては、図１０のフローチャートに示すように、まず、ステップ２００において、ＬＥＤ部品を実装する回路基板２０の生産か否かが判断され、判断結果がＹＥＳの場合には、ステップ２０２に移行し、ステップ２０２において、ＬＥＤ部品と抵抗部品の組合せデータであることが、制御装置４０の記憶装置に記憶されている部品データより取得され、重要部品のうちのＬＥＤ関連部品群であることが自動的に認識される。次いで、ステップ２０４において、部品データのＬＥＤ部品および抵抗部品の重要度係数の欄に、図１１に示すように、重要度係数Ｘ４として予め定められた係数、例えば「２０」を設定する。
【００４５】
ステップ２００における判断結果がＮＯ、すなわち、ＬＥＤ部品およびその関連部品以外の部品を実装する回路基板２０の生産の場合には、ステップ２０６に移行し、当該ステップ２０６において、各部品のサイズＳ１を部品データから取得するとともに、ステップ２０８において、当該各部品の実装座標データＳ２を取得する。次いで、ステップ２１０において、ステップ２０６、ステップ２０８でそれぞれ取得した部品サイズＳ１および実装座標データＳ２に基づいて、多重実装の部品（シールド部品下の部品）であるか否かを算出するとともに、多重実装部品である場合にはさらに、多重実装部品に隣接する隣接部品であるか否かを算出する。そして、ステップ２１２において、シールド下部品群（多重実装部品群）と判別された場合には、重要度係数Ｘ４として、図１１に示すように、例えば「１０」を設定し、シールド隣接部品群（多重実装部品に隣接する部品群）と判別された場合には、重要度係数Ｘ４として、例えば「５」を設定し、それ以外の部品については、重要度係数Ｘ４として「１」を設定する。
【００４６】
このように、各部品の部品データおよび実装座標データに基づいて、シールド下部品群およびシールド隣接部品群を自動的に算出して、予め定められた重要度係数（１０、５）を設定することができ、同様に、部品データに基づいて、ＬＥＤ関連部品群を自動的に算出して、予め定められた重要度係数（２０）を設定することができる。これによって、優先的にケアが必要な重要部品を部品群単位で自動的に指定することができ、重要度に応じた重要度係数を容易に設定することができるようになり、作業者の作業を軽減することが可能となる。
【００４７】
上記した実施の形態によれば、エラーが発生した部品のエラーの状況に関するエラーデータであって、部品名とエラー内容とが１対１に対応したエラーデータを取得するエラーデータ取得手段１０２と、取得されたエラーデータを記憶するエラーデータ記憶手段１０４と、回路基板２０に実装される各部品のエラー率をそれぞれ算出するエラー率算出手段１０６と、回路基板２０に実装される部品の分類毎に重要度係数を設定する重要度係数設定手段１０８と、重要度係数とエラー率を演算（乗算）して各部品毎のエラー指標を算出するエラー指標算出手段１１０と、分類毎に集計されたエラー情報をエラー指標の高いものから順にソートして一覧表示する集計エラー情報表示手段１１４とを備えている。
【００４８】
かかる構成により、エラーが発生した部品のエラー情報を、部品の分類毎に設定された重要度係数とエラー率とに基づいて算出されるエラー指標の高い順に表示できるので、重要度係数の設定の如何によっては、重要度係数が高いものばかりでなく、エラー率の高いものも上位に表示することができるようになる。これによって、各部品に必要な処理を遅滞なく行うことが可能となり、品質のよい回路基板２０を安定して製造できるようになる。
【００４９】
上記した実施の形態においては、エラー指標Ｘ５をエラー率Ｘ３と重要度係数Ｘ４に基づいて算出した例について述べたが、エラー指標Ｘ５は、エラー数Ｘ２の絶対値と重要度係数Ｘ４に基づいて算出するようにしてもよく、請求項におけるエラー量とは、これらエラー率Ｘ３とエラー数Ｘ２を包含する用語として用いている。
【００５０】
なお、上記した実施の形態においては、重要部品として、シールド部品Ｊの下の部品Ａ〜Ｉやシールド部品Ｊに隣接する部品Ｋ、Ｌ、あるいは抵抗部品Ｒとの組合せで用いられるＬＥＤ部品Ｑの例で説明したが、重要度係数が高く設定される重要部品としては、これらに限定されるものでない。例えば、同じ部品であっても、その実装位置等によって重要度を変えることもできる。
【００５１】
以上、本発明の実施の形態について説明したが、本発明は上記した実施の形態に限定されるものではなく、特許請求の範囲に記載した本発明の主旨を逸脱しない範囲内で種々の変形が可能である。
【産業上の利用可能性】
【００５２】
本発明に係る部品エラー表示装置は、部品実装時のエラーを表示する機能を備えた部品実装機に用いるのに適している。
【符号の説明】
【００５３】
１０…部品実装機、１１、１２…部品供給装置、１３…部品装着装置、２０…回路基板、２７…部品撮像装置、４０…制御装置、４８…表示手段、１０２…エラーデータ取得手段、１０４…エラーデータ記憶手段、１０６…エラー量算出手段（エラー率算出手段）、１０８…重要度係数設定手段、１１０…エラー指標算出手段、ステップ１１４…エラーデータ表示手段、Ａ〜Ｆ、Ｇ〜Ｉ…シールド下部品、Ｋ、Ｌ…シールド隣接部品、Ｑ…ＬＥＤ部品、Ｒ…抵抗部品。
【図１】
0005730050.tif 000002
【図２】
0005730050.tif 000003
【図３】
0005730050.tif 000004
【図４】
0005730050.tif 000005
【図５】
0005730050.tif 000006
【図６】
0005730050.tif 000007
【図７】
0005730050.tif 000008
【図８】
0005730050.tif 000009
【図９】
0005730050.tif 000010
【図１０】
0005730050.tif 000011
【図１１】
0005730050.tif 000012